(57)【要約】【課題】穿孔処理により生じる穿孔カスを除電しつつ収容するものであって，本体装置から取り外す際（及び取り外した後）にも穿孔カスが飛散することのないよう十分に除電できる穿孔カス収容部及び該穿孔カス収容部を具備する後処理装置を提供すること。【解決手段】用紙の所定位置に穿孔処理を施すことにより生ずる穿孔カスＰ１を収容する穿孔カス収容部７１において，前記穿孔カスＰ１の静電気を除去する除電手段が内設されたものとして構成する。例えば，前記除電手段の一例としては，前記穿孔カス収容部内の開口部近傍に内設される除電ブラシを用いたものが考えられる。【選択図】図４
2004098243.tif 000002
【特許請求の範囲】
【請求項１】
用紙の所定位置に穿孔処理を施すことにより生ずる穿孔カスを収容する穿孔カス収容部において，
前記穿孔カスの静電気を除去する除電手段が内設されてなることを特徴とする穿孔カス収容部。
【請求項２】
前記除電手段が，前記穿孔カス収容部内の開口部近傍に内設される除電ブラシである請求項１に記載の穿孔カス収容部。
【請求項３】
当該穿孔カス収容部自体が，制電性材料により形成されてなる請求項１あるいは２のいずれかに記載の穿孔カス収容部。
【請求項４】
搬送される用紙の所定位置に穿孔処理を施す穿孔処理部と，穿孔処理により生ずる穿孔カスを収容する穿孔カス収容部と，を具備する後処理装置において，
前記穿孔カス収容部が，前記請求項１〜３のいずれかに記載の穿孔カス収容部であることを特徴とする後処理装置。
【発明の詳細な説明】
【０００１】
【発明の属する技術分野】
本発明は，搬送される用紙に穿孔処理した際に生ずる穿孔カスを収容する穿孔カス収容部，及び該穿孔カス収容部を有し搬送される用紙に所定の処理（穿孔処理，ステイプル処理等）を施す後処理装置に関するものである。
【０００２】
従来より，画像形成装置から排出される用紙を複数枚収容し，収容された用紙束に対して所定の後処理（例えば，穿孔処理，ステイプル処理，或いは中折処理）を施した後に，排出する後処理装置が知られている。
このような後処理装置のうち，穿孔処理を行うものには，穿孔処理により生ずる穿孔カスを収容する着脱可能な穿孔カス収容部が設けられることが一般的である。つまり，該穿孔カス収容部を，ある程度穿孔カスが溜まった段階で装置本体から取り外し，内部に収容された穿孔カスを廃却しつつ利用する。
ところで，前記後処理装置において処理される用紙は，複数のローラ或いはガイド部材により形成される所定の搬送経路に沿って搬送される構造上，その用紙は摩擦により帯電していることが多い。
そのため，このような帯電した用紙に対し穿孔処理を施した場合に生ずる穿孔カスも帯電しているため，その穿孔カスが前記穿孔カス収容部の開口部，或いは内壁等に静電吸着し，該穿孔カス収容部の詰まりを招くこと，或いは穿孔カスが内壁から剥がれず廃却が困難となる，といった問題があった。
そこで，上記問題を解決するものとしては，前記穿孔カス収容部の上流側に静電吸着力（静電気）を減少させる（除電する）機構を設けたものがある。（例えば，特許文献１参照）。
そのような機構を有する後処理装置の概略構成が，図６に示される。
同図に示す如く，不図示である画像形成装置により画像形成された用紙Ｐが，その画像形成装置に併設（連結）される当該後処理装置Ｘ１に対し搬送ローラｒｏ７により搬入される。
搬入された用紙Ｐは，該搬送ローラｒｏ７の下流に設けられる穿孔処理部７０により所定位置に穿孔処理された後に，搬送ローラｒｏ１により更に搬送され，中間処理ユニット３０に搬入（載置）される（用紙の流れを矢印Ａで示す）。前記穿孔処理部７０の下方には，穿孔処理により生じる穿孔カスＰ１を収容する穿孔カス収容部７１が設けられる。該穿孔カス収容部７１は，穿孔カスＰ１がある程度溜まった段階で前記後処理装置Ｘ１から取り外され，収容された穿孔カスＰ１の廃却が行われるため着脱自在に構成される。
一方，穿孔処理の施された用紙Ｐを収容する前記中間処理ユニット３０では，搬送された用紙束に対し所定の処理（ステイプル処理，中折り処理その他）が施された後に，処理済みの用紙束を前記後処理装置Ｘ１の端部に設けた排出ローラｒｏ６により排出する。（用紙の流れを矢印Ｂで示す）
前記排出ローラｒｏ６の外側には，矢印Ｚ方向に昇降することで該排出ローラｒｏ６に対向する用紙トレイを順次切り替え可能なジョブトレイ５０が設けられる。ここで，該ジョブトレイ５０は，ユーザにより選択された排紙モード（ソート処理／グループ処理）に応じて，前記排出ローラｒｏ６（即ち，用紙の排出部）に対向する用紙トレイを適宜切り替えるよう昇降し，前記排出ローラｒｏ６から排出される処理済みの用紙束をそれぞれの用紙トレイに分別することを可能とし，該後処理装置Ｘを使用するユーザの作業効率，或いは使用性を向上させる。ここで，当該後処理装置Ｘには，前期穿孔カス収容部７１に収容される穿孔カスＰ１に帯電した静電吸着力を減少させる機構として，前記穿孔カス収容部７１の上流側に設けられた除電ブラシ（図中にＣで示す位置），前記穿孔カス収容部７１に穿孔カスＰ１を案内する案内部７１ａに設けられた除電ブラシ（図中にＤで示す位置），或いは前記穿孔カス収容部７１に接触するよう設けられた除電ブラシ（図中にＥで示す位置）が夫々設けられる。
これらの除電ブラシのうち，Ｃ位置の除電ブラシにより用紙Ｐに帯電した静電気を，Ｄ位置の除電ブラシにより穿孔カスＰ１に帯電した静電気を，Ｅ位置の除電ブラシにより前記穿孔カス収容部に収容された穿孔カスＰ１に帯電した静電気を放電することが可能となり，該穿孔カスＰ１が帯電していることより発生していた前記穿孔カス収容部７１の開口部の詰まり，或いは内壁への吸着といった問題を解決することができる。
以上のように，前記後処理装置Ｘ１では，搬入される用紙に対して所定の処理（穿孔処理，ステイプル処理，）を施すことが可能であると同時に，穿孔処理により生ずる穿孔カスＰ１を前記穿孔カス収容部により効率良く回収することが可能である。
【０００３】
【特許文献】
特開２０００−１５９４２１号公報（第４−６頁，第１図）
【０００４】
【発明が解決しようとする課題】
しかしながら，上述した後処理装置Ｘ１においては，複数の除電ブラシを設けているものの穿孔カスＰ１に対する除電が十分とは言えず，特に，穿孔カスＰ１が溜まった段階で前記穿孔カス収容部７１を取り外す際，或いは取り外した後に，穿孔カスＰ１に残留していた静電気同士が反発することにより穿孔カスＰ１が該穿孔カス収容部７１の開口部から飛散するという事態が散見された。
そこで，本発明は，かかる事情に鑑みてなされたものであり，その目的とするところは，穿孔処理により生じる穿孔カスを除電しつつ収容するものであって，本体装置から取り外す際（及び取り外した後）に穿孔カスが飛散することのないよう十分に除電できる穿孔カス収容部及び該穿孔カス収容部を具備する後処理装置を提供することにある。
【０００５】
【課題を解決するための手段】
上記目的を達成するために，本発明は，用紙の所定位置に穿孔処理を施すことにより生ずる穿孔カスを収容する穿孔カス収容部において，前記穿孔カスの静電気を除去する除電手段が内設されてなることを特徴とする穿孔カス収容部として構成される。ここで，前記除電手段としては，前記穿孔カス収容部内の開口部近傍に内設される除電ブラシを用いたものが考えられる。
このような構成により，前記穿孔カス収容部に収容される穿孔カスに帯電している電荷を，該穿孔カス収容部に収容される間際で確実に除電するためことが可能となる。
更には，装置側に除電ブラシを設けていた従来構成と異なり，前記穿孔カス収容部内部に除電ブラシを設けることで，前記穿孔カス収容部を取り外す際（後）にも除電能力が継続して発揮されるため，前記穿孔カス収容部を取り外す際（後）に生じていた穿孔カスの飛散を確実に防止できる
また，前記穿孔カス収容部自体が，制電性材料により形成されたものであることが望ましい。
このような形態とすれば，収容される穿孔カスを除電する能力を更に向上させることが可能となり，穿孔カスが前記穿孔カス収容部より飛散することをより確実に防止できる。
【０００６】
また，本発明は，搬送される用紙の所定位置に穿孔処理を施す穿孔処理部と，穿孔処理により生ずる穿孔カスを収容する穿孔カス収容部と，を具備する後処理装置に，前述した穿孔カス収容部を設けた後処理装置として捉えたものであってもよい。
【０００７】
【発明の実施の形態】
以下添付図面を参照しながら，本発明の実施の形態及び実施例について説明し，本発明の理解に供する。尚，以下の実施の形態及び実施例は，本発明を具体化した一例であって，本発明の技術的範囲を限定する性格のものではない。
ここに，図１は本発明の実施の形態に係る後処理装置Ｘの概略断面図，図２は本発明の実施の形態に係る後処理装置Ｘを構成する中間処理ユニットの受け側ユニットの正面図，図３は本発明の実施の形態に係る後処理装置Ｘを構成する中間処理ユニットの断面図，図４は本発明の実施の形態に係る穿孔処理手段，及び穿孔カス収容部を模式的に表す要部拡大図，図５は本発明の実施の形態に係る穿孔カス収容部の斜視図，及び断面図，図６は従来公知の後処理装置Ｘ１を模式的に示す概略構成図である。
【０００８】
本発明の実施の形態に係る後処理装置Ｘは，図１に示すような断面の全体構造を有し，図示の右側側面において画像形成装置Ｗと連結される。従って，本後処理装置Ｘの図１に向かって右側の側面には，画像形成装置Ｗから排出される画像形成された用紙を受け入れる用紙入口１１が設けられている。また，前記用紙入口１１に続けて設けられた用紙の搬送路ｒ１の途中には，用紙に穿孔処理を施す穿孔処理手段７０と，その穿孔処理により生ずる穿孔カスを収容する穿孔カス収容部７１（両者の詳細は後述する）と，が設けられ，画像形成装置Ｗからの所定の制御指令に従って，用紙の所定位置に穴開け処理がなされる。
前記搬送路ｒ１は，用紙を上向きに導く搬送路ｒ２と下向きに導く搬送路ｒ３とに分岐しており，いずれの搬送路に用紙を導くかは，揺動可能に設けられた可動ガイドｇ１により切り替えられるよう構成されている。
用紙を上向きに導く前記搬送路ｒ２は，さらに，搬送中の用紙を大型の退避ドラム２１の周面に沿う方向へ導いた後に下側へ向かう前記搬送路ｒ３へ導く搬送路ｒ２２に繋がっている。
そして，前記搬送路ｒ２２へ搬送された用紙は，前記退避ドラム２１の周面に沿った状態で一時退避した後，該退避ドラム２１の回転によって前記搬送路ｒ３へ送り出される。
また，下側へ向かう前記搬送路ｒ３へ導かれた用紙は，前記可動ガイドｇ１の下方（本後処理装置の中央部）に設けられた中間処理ユニット３０に導かれる。
【０００９】
前記中間処理ユニット３０は，斜めに傾けて設けられた中間トレイ３１，該中間トレイ３１の上下方向中央付近の所定位置に揺動可能に設けられた第１の用紙端部受け部３２，前記中間トレイ３１に沿って上下に移動可能に設けられた第２の用紙端部受け部３３，前記中間トレイ３１の上下方向中央付近に設けられ用紙にステイプル処理を施す第１及び第２のステイプル手段３４，３５とを具備している。前記第２の用紙端部受け部３３は，無端ベルト３７ａに取付けられており，該無端ベルト３７ａの正転／逆転によって上下に移動するよう構成されている。
また，前記中間処理ユニット３０は，図２，図３に示す如く，前記中間トレイ３１や前記第１及び第２の用紙端部受け部３２，３３，前記第１及び第２のステイプル手段３４，３５等が設けられている受け側ユニット３０ａと，前記第１のステイプル手段３４に対向する第１のステイプル受け部３４’等が設けられているカバーユニット３０ｂとに区分されており，前記カバーユニット３０ｂが前記受け側ユニット３０ａに対して離接可能に構成されている。
図３は，前記カバーユニット３０ｂが前記受け側ユニット３０ａに対して離間及び近接する状態を表す断面図である。図３に示すように，前記カバーユニット３０ｂは前記受け側ユニット３０ａに回動可能に支持されており，該回動により前記カバーユニット３０ｂが前記受け側ユニット３０ａに対して近接（図３の（ａ）の位置）又は離間（図３の（ｂ）の位置）する位置に移動させることができるよう構成されている。また，前記中間処理ユニット３０は，本後処理装置Ｘの本体から図１に向かって手前方向に引き出し可能に構成されており，前記中間処理ユニット３０を引き出した後，前記カバーユニット３０ｂを前記受け側ユニット３０ａから離間させることにより，前記中間処理ユニット３０のジャム処理やメンテナンス作業等を容易に行うことができる。
図２は，前記中間処理ユニット３０の前記受け側ユニット３０ａを前記用紙入口１１側からみた正面図である。
前記第１のステイプル手段３４は，用紙の幅方向（用紙の搬送方向（図２では上下方向）に直角の方向）に所定間隔で並べて対に配置されたものであり，用紙の端部付近の幅方向中央部へのステイプル処理，及び用紙の搬送方向中央部へのステイプル処理（いわゆる中綴じ）を行う場合に用いられる。また，前記第２のステイプル手段３５は，用紙の幅方向の一方の端部付近に斜め方向に配置されたものであり，用紙のコーナー部へのステイプル処理を行う場合に用いられる。前記第１のステイプル受け部３４’は，前記第１のステイプル手段３４に対向する位置において前記カバーユニット３０ｂ（図３参照）に設けられている。
【００１０】
図１に示す前記搬送路ｒ３に導かれた用紙は，前記中間処理ユニット３０の上方に設けられた搬送ローラｒｏ１により下側へ搬送され，前記搬送ローラｒｏ１から外れて落下する。この落下してくる用紙は，その一方の面（図１に向かって左側の面）が前記中間トレイ３１により受けられ，その先端部（下側端部）が前記第１の用紙端部受け部３２又は第２の用紙端部受け部３３（用紙受け部の一例に該当）のいずれかにより受けられる。前記中間トレイ３１上に複数重ねて収容（集積）された用紙（束）は，用紙付勢部材３８（図４参照）等により構成される用紙整合機構（詳細は後述する）により整合された後，前記第１又は第２のステイプル手段３４，３５によってステイプル処理が施される。
前記第１及び第２の用紙端部受け部３２，３３のいずれによって用紙の先端部を受けるかは，前記第１の用紙端部受け部３２の揺動動作によって切り替えられる。即ち，前記第１の用紙端部受け部３２が前記中間トレイ３１に沿う位置（近接する位置，以下，使用位置という）にある場合は，用紙の先端部は前記第１の用紙端部受け部３２により受けられ，前記第１の用紙端部受け部３２がその揺動動作により前記中間トレイ３１から離間した退避位置にある場合は，前記搬送ローラｒｏ１により搬送されてきた用紙の先端部は前記第１の用紙端部受け部３２を通り過ぎて前記第１の用紙端部受け部３２よりも下方に移動して待っている前記第２の用紙端部受け部３３により受けられるよう構成されている。また，小サイズの用紙を受ける場合は，前記第２の用紙端部受け部３３を前記第１の用紙端部受け部３２よりも上側へ移動させて用紙を受けることも可能である。この場合，前記第１の用紙端部受け部３２は前記使用位置にあっても前記退避位置にあってもかまわない。
例えば，用紙の端部付近の所定位置にステイプル処理（いわゆる端部綴じ）を行いたい場合等は，前記第１の用紙端部受け部３２に用紙を積載した状態で前記第１又は第２のステイプル手段３４，３５によりステイプル処理がなされる。また，用紙の搬送方向中央部付近にステイプル処理（いわゆる中綴じ）を行いたい場合等は，前記第２の用紙端部受け部３３を用紙を積載した状態で用紙サイズに応じた位置に移動させ，前記第１のステイプル手段３４によりステイプル処理がなされる。また，用紙のサイズによっては（前記第１の用紙端部受け部３２で直接受けるべきサイズよりも大きい又は小さいサイズ），前記搬送ローラＲｏ１により搬送されてくる用紙を，一旦，前記第２の用紙端部受け部３３により受けて重積させた後，前記第１の用紙端部受け部３３に積み替えることも行われる。この場合，まず，搬送されてくる用紙を，その用紙のサイズに応じた位置（前記第１の用紙端部受け部３３の位置よりも下側又は上側）に移動させた前記第２の用紙端部受け部３３により受け，用紙を積載した前記第２の用紙端部受け部３３を前記第１の用紙端部受け部３２よりも若干上側の位置（例えば，２ｍｍ程度上側）まで移動させた後（この間，前記第１の用紙端部受け部３２は前記退避位置にある），前記第１の用紙端部受け部３２を前記使用位置に揺動させ，さらに，前記第２の用紙端部受け部３３を前記第１の用紙端部受け部３２よりも下側に移動させることにより，前記第２の用紙端部受け部３３に積載された用紙を前記第１の用紙端部受け部３２に積み替える。ここで，前記第１の用紙端部受け部３２は，本用紙処理装置Ｘにおいて多用されるサイズの用紙（例えば，Ａ４Ｙ／ＬＴＹサイズ）が搬送されてきたときにその用紙を直接受けるのに適した位置に配置されており，それよりも大きいサイズの用紙が搬送されてくる場合であって，その用紙を前記第１の用紙端部受け部３２に積載した状態でステイプル処理を施したい場合（即ち，端部綴じを行いたい場合）には，前述した積み替えが行われる。これにより，多用されるサイズの用紙については，前記第１の用紙端部受け部３２により用紙を直接受けることができるので，前記第２の用紙端部受け部３３の移動による位置合わせを行う必要が無く，迅速なステイプル処理が行える。さらに，用紙端部付近の所定位置にステイプル処理（端部綴じ）を施す場合，ステイプル処理を行う位置に，中綴じよりも高い精度が要求され，前記第２の用紙端部受け部３３の移動による位置合わせでは十分な位置決め精度を確保することが難しい場合があるが，このような場合でも，移動しない前記第１の用紙端部受け部３２と移動しない前記第１及び第２のステイプル手段３４，３５との位置関係は予め精度高く設定することが可能であるので，十分な位置精度でステイプル処理を施すことが可能となる。
【００１１】
前記中間処理ユニット３０においてステイプル処理が施された用紙（用紙束）に更に２つ折り処理（以下，中折り処理という）を施す場合には，該用紙束は，前記中間処理ユニット３０内からその下側に設けられた中折りユニット４０内の搬送路ｒ５へ送り出され，前記中折り処理を施さない場合には上側の搬送路ｒ４へ送り出される。
前記用紙の前記搬送路ｒ５への送り出しは，前記中間処理ユニット３０の下部に揺動可能に支持された搬送ローラＲｏ２により行われる。前記搬送ローラｒｏ２は，通常は，前記搬送ローラＲｏ２に対向して配置された従動ローラｒｏ２’と離間する位置に退避しており，用紙を前記搬送路ｒ５へ送り出す際に，前記従動ローラｒｏ２’に近接する位置に揺動して前記従動ローラｒｏ２’との間に用紙を挟み，前記搬送ローラｒｏ２の回転力により前記搬送路ｒ５へ用紙を送り出す（搬送する）。
前記中折りユニット４０内の前記搬送路ｒ５に導かれた用紙（用紙束）は，前記中折りユニット４０内の搬送ローラｒｏ３によってさらに搬送されて所定位置に停止させられる。そして，用紙の搬送方向中央部に押し型４１が押し当てられ，用紙が前記押し型４１の押し当て面と反対側において対向配置されて回転する２つの中折り用ローラ４２の間に２つ折りされながら挟まれる。２つの前記中折り用ローラ４２は，互いに対向する方向に付勢されており，この付勢力によって用紙に折り目がつけられる。このようにして中折り処理がなされた用紙は，前記中折り用ローラ４２の回転力によってその折り部が先頭となる方向に搬送され，前記中折り用ローラ４２上方の搬送路ｒ６を経て，前記中折りユニット４０内の排出ローラｒｏ４によって，前記用紙入口１１の反対側の側面に設けられた下段用紙出口１４からその外側に設けられた中折り用紙排出トレイ６０上に排出される。このとき，前記下段用紙出口１４の上方に回動自在に設けられた用紙抑え部材６１により，中折り処理された用紙が抑えられて整合される。
【００１２】
一方，前記中間処理ユニット３０上側の前記搬送路ｒ４への用紙の送り出しは，前記中間トレイ３１に沿って上下に移動可能に設けられた断面Ｔ字形状の用紙送り出し部材３６によって行われる。前記用紙送り出し部材３６は，無端ベルト３７ｂに取付けられており，該無端ベルト３７ｂの正転／逆転によって上下に移動するよう構成されており，前記中間トレイ３１の裏面側（下側）へ退避させることも可能である。また，前記用紙送り出し部材３６と前記第２の用紙端部受け部３３との上下動の範囲は一部で重複しており，前記用紙送り出し部材３６を最下端へ移動させた位置の方が，前記第２の用紙端部受け部３３を最上端へ移動させた位置よりも下側となるよう構成されている。
このように構成された前記用紙送り出し部材３６により，以下のようにして用紙が上側の前記搬送路４へ送り出される。
先ず，前記用紙送り出し部材３６を裏面側へ退避させた状態で，用紙を積載した前記第２の用紙端部受け部３３を最上端まで移動させる。次に，前記用紙送り出し部材３６を最下端から表面側へ移動させ，さらに前記第２の用紙端部受け部３３よりも上側へ移動させることにより前記第２の用紙端部受け部３３に積載された用紙を前記用紙送り出し部材３６上に積み替える。そして，更に前記用紙送り出し部材３６を上側へ移動させることにより，積み替えられた用紙が前記搬送路ｒ４へ送り出される。
このようにして前記搬送路ｒ４に搬送されてきた用紙（用紙束）は，用紙排出手段６２により搬送が引き継がれて，該用紙排出手段６２の具備する排出ローラＲｏ６の回転力により上段用紙出口１３からその外側に複数の用紙トレイを設けて構成されるジョブトレイ５０のいずれかの用紙トレイに排出される。該ジョブトレイ５０は，それぞれ用紙の排出方向に向かって上向くように傾斜して設けられている。さらに，前記ジョブトレイ５０は上下方向に一斉に昇降可能に構成され，その停止位置によって前記上段用紙出口１３から排出される用紙をいずれの前記ジョブトレイ５０で受けるかを順次切り替える。前記ジョブトレイ５０の昇降動作は，指定された順序で重ねた用紙束ごとに複数のトレイに分けて排出するいわゆるソート処理，或いはグループ処理を行う際に行われる。
【００１３】
次に，図４を参照しつつ，当該後処理装置Ｘに設けられる穿孔処理手段７０と，その穿孔処理により生ずる穿孔カスを収容する穿孔カス収容部７１について詳説する。
図４は，当該後処理装置Ｘに設けられる前記穿孔処理手段７０及び前記穿孔カス収容部７１に関係する部分を模式的に示す要部拡大図である。
同図に示すように，前記穿孔処理手段７０は，上ガイド板８４と，左ガイド板８２ａ及び右ガイド板８２ｂとで形成される用紙搬送経路（前記用紙搬送経路ｒ１に該当）の上方に設けられる偏心カム８７と，該偏心カム８７に当接して設けられ，該偏心カム８７の回動に応じて上下動（図中には矢印Ｇで示す）されるパンチ刃８６と，を具備して概略構成され，該偏心カム８７を用紙Ｐの搬入に応じて回動させることにより，以下のようにして用紙Ｐに対し穿孔処理が施される。先ず，図４には不図示である前記搬送ローラｒｏ７により搬送された用紙Ｐが所定位置（図中にはＳで示す位置）まで搬送されたことを検出し，その検出に応じて，用紙Ｐの搬送を一旦停止させる。ここで，用紙Ｐが，所定位置まで搬送されたことを判定する手法としては，例えば，所定位置近傍に光センサ等の非接触センサを設け，その検出に応じて判定することが可能である。このようにして用紙Ｐが所定位置まで搬送されたと判定されると，前記搬送ローラｒｏ７が停止され，用紙Ｐは所定の位置にて停止される。尚，用紙Ｐを搬入させている今の段階では，前記偏心カム８７は，前記パンチ刃８６を用紙Ｐの搬送を妨げない位置（以下，退避位置という）に配置する所定の角度（例えば，図中に示す位置から１８０°回転した角度であって，以下，退避角度という）で停止している。
次に，用紙Ｐが所定位置にて停止されると，前記偏心カム８７を退避角度から図中に示すＲの方向に回転させる。前記偏心カム８７の回転に伴って，前記パンチ刃８６は，退避位置から用紙方向に向かって下降を始め，最終的には用紙Ｐに孔を開ける位置（パンチ位置）まで下降する。そして，前記偏心カム８７を更に回動させせることにより，前記パンチ刃８６はパンチ位置から上昇に転じ，前記偏心カム８７が退避角度まで回動するのに伴って，再び退避位置に戻る。
尚，前記パンチ刃８６は，前記上ガイド板８４に設けられる刃ガイド８５，及び前記上ガイド板８４に対向する下ガイド板８３により案内（摺動）されることにより，用紙Ｐに対しその紙面に垂直な方向から正確に穿孔処理することができる。
このようにして，前記偏心カム８７の回動に応じて上下動される前記パンチ刃８６により，所定の位置に正確に穿孔処理が施された用紙Ｐは，再び不図示である前記搬送ローラｒｏ７その他の搬送ローラにより所定の搬送方向に搬送され，当該穿孔処理手段７０の下流に設けられる搬送ローラｒｏ１へと導かれ，上述したような処理（ステイプル処理，中折り処理）が順次施される。
一方，前記穿孔処理手段７０（前記パンチ刃８６）により用紙Ｐから打ち抜かれた穿孔カスＰ１は，図中に破線，及び矢印Ｈで示す落下軌跡（一例）を描いて略下方向に落下する。そのため，該穿孔カスＰ１を収容する前記穿孔カス収容部７１は，前記パンチ刃８６の下方に，開口部７１ｂを有して設けることで，前記穿孔処理手段７０の穿孔処理により生じる穿孔カスを効率良く回収できる。
該穿孔カス収容部７１を前記穿孔処理手段７０の下方に対して脱着可能に取り付ける構成としては，例えば，前記穿孔処理手段７０の下方に，用紙の搬送方向に垂直な方向に形成された溝部８０ａを有する保持部８０を設けると同時に，前記穿孔カス収容部７１の開口部７１ｂ近傍に前記溝部８０ａに対応する凹部７２を設けた構成（図５参照）が考えられる。このような構成であれば，該穿孔カス収容部７１の着脱は，前記保持部８０の溝部８０ａに対し，前記穿孔カス収容部７１の凹部７２を係合させつつスライドさせる（図４においては，紙面に垂直な方向）という簡単な方法により，前記穿孔カス収容部７１を前記穿孔処理手段７０の下方所定の位置に確実に固定でき，必要に応じて容易に取り外すことができる。
ここで，本実施形態に係る前記穿孔カス収容部７１は，前記開口部７１ｂ近傍に除電ブラシ７３が内設されることを特徴とする。
これにより，該穿孔カス収容部７１に収容される穿孔カスＰ１は，収容される前に確実に前記除電ブラシ７３に接触した（除電された）後に収容することが可能である。更に，前記除電ブラシ７３を所定の位置に内設することにより，該穿孔カス収容部７１を前記後処理装置Ｘから取り外す際（若しくは後）であっても，該除電ブラシ７３は常に除電能力を発揮するため，従来構成の穿孔カス収容部において問題となっていた取り外す際（若しくは後）における穿孔カスの飛散を防止できる。ここで，前記除電ブラシ７３は，可撓性の金属ブラシを，導電性の粘着テープ（例えばアルミテープ）により前記穿孔カス収容部７１に固着したものを用いればよい。
また，穿孔カスＰ１を除電する除電ブラシは，前記除電ブラシ７３のみに限られるものではなく，例えば，同図に示すように，除電ブラシ８３を，前記穿孔カス収容部７１の開口部の上方に複数設けてもよい。この場合，前記除電ブラシ８３を，穿孔カスＰ１の落下方向に傾けて配置させることにより，除電能力の向上のみならず，少し中心線からずれた落下軌跡を描く穿孔カスＰ１を前記穿孔カス収容部７１（除電ブラシ７３）に対し案内するガイドの効果を発揮させることも可能である。ここで，該除電ブラシ８３は，前記除電ブラシ７３同様，可撓性の金属ブラシを，導電性の粘着テープ（例えばアルミテープ）により前記保持部８０に固着したものである。
更に，前記穿孔カス収容部７１自体を，制電性材料により形成することが望ましい。
これにより，該穿孔カス収容部７１に収容された後（例えば振動により穿孔カス同士が接触した場合）に帯電した電荷，或いは前記除電ブラシ７３，８３により除電しきれなかった電荷を，穿孔カスＰ１→穿孔カス収容部７１→装置のフレーム（保持部８０を介して）の経路により放電することが可能となり，更に除電能力の向上を図ることができる。例えば，制電性材料の一例としては，ＰＰ（ポリプロピレン）にエコレンＰＰ２２０Ｖ（アルミ系帯電防止剤とエステル系帯電防止材の複合品）を混合した樹脂が考えられる。
尚，本実施形態では，前記穿孔カス収容部７１が導電性を有することを利用して前記除電ブラシ７３を接地することなく，該除電ブラシ７３に帯電した電荷を該除電ブラシ７３からの空中放電する，或いは除電ブラシ→穿孔カス収容部７１→装置のフレームの経路により放電することを考えているが，無論，該除電ブラシ７３に対して個別に接地線を設けた形態であってもよい。
このように本実施形態に係る前記穿孔カス収容部７１では，該穿孔カス収容部７１内部に前記除電ブラシ７３を設けることで，電荷が帯電している穿孔カスＰ１収容した前記穿孔カス収容部７１の着脱をしようとした際（後）にも，飛散しようとする穿孔カスを前記除電ブラシ７３により除電することが可能であり，穿孔カスを外部に飛散することを防止することができる。
【００１４】
最後に，図５に，本実施形態に係る前記穿孔カス収容部７１の斜視図（図５（ａ）参照），及び図５（ａ）示す矢印ＦＦ’による断面図（図５（ｂ）参照）を示す。
同図に示す如く，前記穿孔カス収容部７１は，該穿孔カス収容部７１の上部に形成された前記開口部７１ｂに対し前記除電ブラシ７３が内設されると共に，前記開口部７１ｂ近傍に凹部７２を形成したものである。更には，該穿孔カス収容部７１の正面部には把手７１ａが設けられ，着脱の際の利便を向上させている。また，本実施形態では，前記除電ブラシ７３は前記開口部における長辺の一方にのみ設ける構成としているが，無論，前記開口部における長辺の両方共に設ける構成であってもよい。
【００１５】
【発明の効果】
以上説明したように，本発明によれば，穿孔処理により生ずる穿孔カスを収容する穿孔カス収容部に除電ブラシを内設することにより，確実に穿孔カスを除電した後に収容することが可能であると共に，該穿孔カス収容部の着脱の際（後）にも除電能力を損なうことがないため，該穿孔カス収容部の着脱の際（後）に穿孔カスが飛散することを防止するできる。
また，該穿孔カス収容部自体を制電性材料により形成すれば，より除電性能（効率）を向上させることが可能である。
【図面の簡単な説明】
【図１】本発明の実施の形態に係る後処理装置Ｘの概略断面図。
【図２】本発明の実施の形態に係る後処理装置Ｘを構成する中間処理ユニットの受け側ユニットの正面図。
【図３】本発明の実施の形態に係る後処理装置Ｘを構成する中間処理ユニットの断面図。
【図４】本発明の実施の形態に係る穿孔処理手段，及び穿孔カス収容部を模式的に表す要部拡大図。
【図５】本発明の実施の形態に係る穿孔カス収容部の斜視図，及び断面図。
【図６】従来公知の後処理装置Ｘ１を模式的に示す概略構成図。
【符号の説明】
１１…用紙入り口
１３…上段用紙出口
１４…下段用紙出口
２１…退避ドラム
３０…中間処理ユニット
３１…中間トレイ
３２…第１の用紙端部受け部
３３…第２の用紙端部受け部
３４，３５…ステイプル手段
３４’，３５’…ステイプル受け部
３６…用紙送り出し部材（用紙押さえ部材）
３７ａ，３７ｂ…無端ベルト
３７ｃ…ベルト軸
４０…中折りユニット
４１…押し型
４２…中折り用ローラ
５０…ジョブトレイ
６０…中折用紙排出トレイ
６１…用紙抑え部材
６２…用紙排出手段
７０…穿孔処理手段
７１…穿孔カス収容部
７１ａ…把手
７１ｂ…開口部
７３…除電ブラシ
８０…保持部
８０ａ…溝部
８１…除電ブラシ
８２ａ…左ガイド板
８２ｂ…右ガイド板
８３…下ガイド板
８４…上ガイド板
８５…刃ガイド
８６…パンチ刃
８７…偏心カム
ｒｏ１，ｒｏ２，ｒｏ３，ｒｏ７…搬送ローラ
ｒｏ４，ｒｏ５，ｒｏ６，ｒｏ８…排出ローラ
ｒ１，ｒ２，ｒ２１，ｒ３，ｒ４，ｒ５，ｒ６…用紙の搬送路
【図１】
2004098243.tif 000003
【図２】
2004098243.tif 000004
【図３】
2004098243.tif 000005
【図４】
2004098243.tif 000006
【図５】
2004098243.tif 000007
【図６】
2004098243.tif 000008